(57)【要約】通信リンク上で発生するモデムおよびファクシミリ通信の不正な検出の確率を減少する、トーン処理方法および通信に関する。リンクは発信端点（１０５）を着信端点（１１０）へ接続する。好適な実施態様では、発信端点（１０５）からの通話の受信に応じて着信端点（１１０）がオフフックになる時、リンクを監視する間の時間の経過が測定される。リンク上で１つのトーンも検出することなく所定の時間が経過する場合、トーン検出感度を減少するか、または全てのトーンを無視するように、トーン検出基準は修正される。別の実施態様では、音声活動がリンク上で検出される場合、トーン検出基準は同様に修正される。更に別の実施態様では、トーンおよび音声活動が通話の間に幾度か発生する時、リンク上で発生する通信の種類に対してリンクを最適化するように、少なくとも１つの特性が修正される。
2005525063.tif 000002
【特許請求の範囲】
【請求項１】
発信端点を着信端点へ接続する通信リンク上で発生するトーンを処理する方法において、
（ａ）前記発信端点からの通話を受信することに応じて前記着信端点がオフフックとなることを検出するステップと、
（ｂ）前記着信端点がオフフックとなった時からの時間の経過を測定するステップと、
（ｃ）少なくとも１つのトーンの発生まで、前記通信リンクを監視するステップと、
（ｄ）前記通信リンク上で前記少なくとも１つのトーンが発生することなく前記時間が所定の値に到達する場合、前記通信リンク上で発生するトーンを処理するために用いられる少なくとも１つの検出基準パラメータを修正するステップとを備える方法。
【請求項２】
請求項１に記載の方法において、修正された前記検出基準パラメータは前記通信リンク上で発生するトーンを無視させる方法。
【請求項３】
請求項１に記載の方法において、修正された前記検出基準パラメータは前記通信リンク上で発生するトーンを検出する感度を減少させる方法。
【請求項４】
請求項１に記載の方法において、
（ｅ）前記通信リンク上で少なくとも１つのトーンが発生する場合、前記通信リンクをファックス／モデム動作用に最適化するために、前記通信リンクの伝送特性と関連する信号遅延パラメータを調整するステップを更に備える方法。
【請求項５】
請求項１に記載の方法において、
（ｅ）前記通信リンク上で少なくとも１つのトーンが発生する場合、前記通信リンクをファックス／モデム動作用に最適化するために、前記通信リンクの伝送特性と関連するエコー消去パラメータを調整するステップを更に備える方法。
【請求項６】
請求項１に記載の方法において、
（ｅ）前記通信リンク上で少なくとも１つのトーンが発生する場合、前記通信リンクをファックス／モデム動作用に最適化するために、前記通信リンクの伝送特性と関連するジッタバッファパラメータを調整するステップを更に備える方法。
【請求項７】
請求項１に記載の方法において、
（ｅ）前記通信リンク上で少なくとも１つのトーンが発生する場合、前記通信リンクをファックス／モデム動作用に最適化するために、前記通信リンク上で音声活動を検出するボコーダと関連するボコーダレートパラメータを調整するステップを更に備える方法。
【請求項８】
請求項１に記載の方法において、
（ｅ）前記通信リンク上で少なくとも１つのトーンが発生する場合、前記通信リンクをファックス／モデム動作用に最適化するために、前記通信リンクの帯域幅と関連するパラメータを調整するステップを更に備える方法。
【請求項９】
発信端点を着信端点へ接続する通信リンク上で発生するトーンを処理する方法において、
（ａ）前記発信端点からの通話を受信することに応じて前記着信端点がオフフックとなることを検出するステップと、
（ｂ）音声活動の発生まで、前記通信リンクを監視するステップと、
（ｃ）前記通信リンク上で音声活動が発生する場合、前記通信リンク上で発生するトーンを処理するために用いられる少なくとも１つの検出基準パラメータを修正するステップとを備える方法。
【請求項１０】
請求項９に記載の方法において、修正された前記検出基準パラメータは前記通信リンク上で発生するトーンを無視させる方法。
【請求項１１】
請求項９に記載の方法において、修正された前記検出基準パラメータは前記通信リンク上で発生するトーンを検出する感度を減少させる方法。
【請求項１２】
請求項９に記載の方法において、
（ｄ）前記通信リンク上で少なくとも１つのトーンが発生する場合、前記通信リンクをファックス／モデム動作用に最適化するために、前記通信リンクの伝送特性と関連する信号遅延パラメータを調整するステップを更に備える方法。
【請求項１３】
請求項９に記載の方法において、
（ｄ）前記通信リンク上で少なくとも１つのトーンが発生する場合、前記通信リンクをファックス／モデム動作用に最適化するために、前記通信リンクの伝送特性と関連するエコー消去パラメータを調整するステップを更に備える方法。
【請求項１４】
請求項９に記載の方法において、
（ｄ）前記通信リンク上で少なくとも１つのトーンが発生する場合、前記通信リンクをファックス／モデム動作用に最適化するために、前記通信リンクの伝送特性と関連するジッタバッファパラメータを調整するステップを更に備える方法。
【請求項１５】
請求項９に記載の方法において、
（ｄ）前記通信リンク上で少なくとも１つのトーンが発生する場合、前記通信リンクをファックス／モデム動作用に最適化するために、前記通信リンク上で音声活動を検出するボコーダと関連するボコーダレートパラメータを調整するステップを更に備える方法。
【請求項１６】
請求項９に記載の方法において、
（ｄ）前記通信リンク上で少なくとも１つのトーンが発生する場合、前記通信リンクをファックス／モデム動作用に最適化するために、前記通信リンクの帯域幅と関連するパラメータを調整するステップを更に備える方法。
【請求項１７】
通信リンク上で発生するトーンを処理する方法において、
（ａ）少なくとも１つのトーンおよび音声活動の発生まで、前記通信リンクを監視するステップと、
（ｂ）前記通信リンク上で音声活動の発生を検出するステップと、
（ｃ）前記通信リンク上で前記音声活動の発生の前記検出に応じて、前記通信リンク上で発生するトーンを検出する感度を減少するステップとを備える方法。
【請求項１８】
請求項１７に記載の方法において、前記通信リンクは音声通信用に最適化された複数の伝送特性を当初に有することと、前記方法は、
（ｄ）前記通信リンク上で少なくとも１つのトーンの発生を検出するステップと、
（ｅ）前記通信リンクをファックス／モデム動作用に最適化するために、ステップ（ｄ）に応じて前記通信リンクの伝送特性のうちの少なくとも１つを修正するステップとを更に備える方法。
【請求項１９】
請求項１８に記載の方法において、
（ｆ）前記通信リンクをファックス／モデム動作用に最適化するために前記通信リンクの伝送特性のうちの前記少なくとも１つが修正された後、前記通信リンク上で音声活動の発生を検出するステップと、
（ｇ）前記通信リンクを音声通信用に最適化するために、ステップ（ｆ）に応じて前記
通信リンクの伝送特性の少なくとも１つを修正するステップとを更に備える方法。
【請求項２０】
請求項１８に記載の方法において、複数の前記伝送特性の１つはパケット化周期である方法。
【請求項２１】
請求項１８に記載の方法において、複数の前記伝送特性の１つはエコー消去である方法。
【請求項２２】
請求項１８に記載の方法において、複数の前記伝送特性の１つはジッタバッファサイズである方法。
【請求項２３】
請求項１８に記載の方法において、複数の前記伝送特性の１つはボコーダレートである方法。
【請求項２４】
請求項１８に記載の方法において、複数の前記伝送特性の１つは前記通信リンクの帯域幅である方法。
【請求項２５】
発信端点を着信端点へ接続する通信リンク上で発生するトーンを処理する通信システムにおいて、
（ａ）オフフック検出器およびタイマ回路を有し、該オフフック検出器およびタイマ回路は、（ｉ）前記発信端点からの通話を受信することに応じて前記着信端点がオフフックとなることを検出することと、（ｉｉ）前記着信端点がオフフックとなった時からの時間の経過を測定することとを備え、前記通信システムは更に、
（ｂ）前記通信リンク上で発生するトーンを検出するトーン検出器と、
（ｃ）前記通信リンク上で前記音声活動の発生を検出する音声活動検出器（ＶＡＤ）と、
（ｄ）前記オフフック検出器およびタイマ回路、前記トーン検出器、および前記ＶＡＤと接続するプロセッサとを有し、該プロセッサは、前記通信リンク上で発生するトーンを処理するために用いられる、少なくとも１つの検出基準パラメータを修正するためのアルゴリズムを実行することを備える通信システム。
【請求項２６】
請求項２５に記載の通信システムにおいて、音声活動が前記ＶＡＤによって検出された場合、前記アルゴリズムは前記プロセッサに前記検出基準パラメータを修正するように指示する通信システム。
【請求項２７】
請求項２５に記載の通信システムにおいて、前記トーン検出器はトーンを検出することなく前記時間が所定の値に到達する場合、前記アルゴリズムは前記プロセッサに前記検出基準パラメータを修正するように指示する通信システム。
【請求項２８】
請求項２５に記載の通信システムにおいて、前記時間が前記所定の値に到達する以前とは異なって、前記通信リンク上で発生するトーンが処理されるように、前記アルゴリズムは前記プロセッサに前記検出基準パラメータを修正するように指示する通信システム。
【請求項２９】
請求項２５に記載の通信システムにおいて、修正された前記検出基準パラメータは前記通信リンク上で発生するトーンを無視させる通信システム。
【請求項３０】
請求項２５に記載の通信システムにおいて、修正された前記検出基準パラメータは前記通信リンク上で発生するトーンを検出する感度を減少させる通信システム。
【請求項３１】
請求項２５に記載の通信システムにおいて、
（ｅ）前記プロセッサと接続する音声コーダを更に有し、該音声コーダによって実施さ
れる少なくとも１つのアルゴリズムを調整するように前記検出基準パラメータは修正されることを備える通信システム。
【請求項３２】
請求項２５に記載の通信システムにおいて、前記通信システムはインターネット電話システムである通信システム。
【発明の詳細な説明】
【技術分野】
【０００１】
一般に本発明は、通信リンクを通じて伝送される信号（例えば、音声およびトーン）を監視することに関し、監視される信号の種類およびタイミングに基づいてトーン処理パラメータを最適化することに関する。
【背景技術】
【０００２】
ケーブルアイピー（ＩＰ）電話は、単純化および整理統合された通信サービスであり、消費者が別個のインターネット、テレビ、および電話サービス業者へ支払う場合よりも低いコストで提供され得る。リアルタイム音声用途でのインターネットの利用は急速に増大している。ケーブルモデム技術を用いるインターネットプロトコル（ＩＰ）電話の目標は、ケーブル配信インフラストラクチャを通じる電話、映像、およびデータ信号を結合することである。
【０００３】
ボイスオーバーＩＰ（ＶｏＩＰ）ゲートウェイは、公衆交換電話網（ＰＳＴＮ）またはサービス総合ディジタル網（ＩＳＤＮ）をパケット交換データ網（ＴＣＰ／ＩＰ網）に橋渡しする。そのようなＶｏＩＰゲートウェイは、音声チャンネルの圧縮および復元を含むＩＰ通話制御およびＩＰデータ転送を提供するように設定される。ＶｏＩＰは比較的新規なサービスであり、データオーバーケーブルシステムインターフェーススペシフィケーション（ＤＯＣＳＩＳ）ケーブル網によってサポートされることが可能である。ＤＯＣＳＩＳには、ケーブルテレビ事業者およびコンピュータ間のケーブルモデムインターフェース用の標準が説明されている。
【０００４】
ＤＯＣＳＩＳはインターフェースを渡る入力および出力信号を取扱う装置用の標準として受認されている。ＤＯＣＳＩＳ１．０は、１９９８年３月に国際電気通信連合（ＩＴＵ）によって批准された。ＤＯＣＳＩＳに準拠するケーブルモデムは、ケーブル事業者が運営する多くの地域で利用可能である。ＤＯＣＳＩＳは、ケーブルを通じる双方向信号交換用の変調方式およびプロトコルを指定する発展中の標準であり、バージョン４のＩＰのトラフィックを可能として、ケーブルモデム終端システム−ネットワーク側インターフェース（ＣＭＴＳ−ＮＳＩ）と顧客宅内機器インターフェースへのケーブルモデム（ＣＭＣＩ）の間でトランスペアレントな転送を達成することを可能にする。ＶｏＩＰの品質を最大化するための既存のケーブルモデムおよびディーエスピー（ＤＳＰ）の改良は、そのイーイーピーロム（ＥＥＰＲＯＭ）フラッシュメモリへのプログラムを変更することによって達成され得る。
【発明の開示】
【発明が解決しようとする課題】
【０００５】
モデムおよびファックスをサポートするＩＰ電話のリンクは、モデムおよびファックスのトーンをしばしば不正に検出する。そのような不正検出は、システムパラメータを音声ではなくファックス／モデム動作用に調整させ得る。不正なトーンの検出は、通信システムのユーザ間での音声通信の間に検出される背景雑音によって発生し得る。そのような背景雑音には、通信リンクを通じて別のユーザと口頭で会話をしているユーザと同じ場所にあるスピーカによって出力される、モデムのトーンが含まれ得る。モデム、ファックス、または他のトーンは、テレビ番組またはラジオ番組の間に時々聞かれ得る。音楽および他の雑音源に一般に見出される、モデムまたはファックスの１以上のトーン（例えば、２１００Ｈｚ信号）の不正検出は、リンクを監視するシステムがファックスおよびモデム通信をサポートするように自動的に調整を行うため、ＩＰ電話のリンクを通じて発生する通常
の会話音声にとって妨害となり得る。
【課題を解決するための手段】
【０００６】
本発明は通信リンクを通じて伝送されるファクスおよびモデムのトーンの不正検出を減少または除去する。検出されるトーンを有効であるとして受認するために、所定の時間制限が確立される。通話が応答された（即ち、応答電話回線がピックアップされ、応答端末がオフフックにされた）時からの経過する時間が測定される。経過時間が所定の時間制限に到達した後に検出されるトーンは、時間制限が到達される以前とは異なる仕方で処理される（例えば、トーンは無視されるか、またはトーン検出感度は減少される）。従って、有効なファックスおよびモデムのトーン検出は、通話の開始（即ち、最初の数秒）の間に常に発生することが想定される。
【０００７】
好適な実施態様では、本発明はトーンを処理する方法である。本発明の方法は、発信端点を着信端点へ接続する通信リンクを有する、通信システムにて実施される。発信端点からの通話を受信することに応じて着信端点がオフフックとなることが検出された時、着信端点がオフフックとなった時からの時間の経過が測定される。通信リンクは少なくとも１つのトーンの発生まで監視される。通信リンク上で１つのトーンの発生もなく時間が所定の値に達する場合、通信リンク上で発生するトーンを処理するために通信システムによって用いられる、少なくとも１つの検出基準パラメータは修正される。
【０００８】
修正された検出基準パラメータは通信リンク上で発生するトーンを無視させてもよく、トーンを検出する感度を減少させてもよい。通信リンク上で少なくとも１つのトーンが発生する場合には、通信リンクをファックス／モデム動作用に最適化するために、通信リンクの伝送特性と関連するパラメータが調整され得る。伝送特性パラメータは、信号遅延パラメータ、エコー消去パラメータ、ジッタバッファパラメータ（例えば、ジッタバッファのサイズと関連する）、パケット化周期、または波形／音声コーダ選択パラメータであってもよい。パラメータは通信リンク上で音声活動を検出するボコーダ（vocoder ）と関連付けられてもよい（例えば、ボコーダのレート）。パラメータは通信リンクの帯域幅と関連付けられてもよい。
【０００９】
本発明の代替の実施態様では、通信リンクは音声活動の発生まで監視される。通信リンク上で音声活動が発生する場合、通信リンク上で発生するトーンを処理するために用いられる、少なくとも１つの検出基準パラメータは修正される。
【００１０】
本発明の更に別の実施態様では、通信リンク上で発生するトーンは、少なくとも１つのトーンおよび音声活動の発生まで通信リンクを監視することによって処理される。通信リンク上で音声活動の発生が検出される場合、通信リンク上で発生するトーンを検出する感度は減少される。
【００１１】
通信リンクは音声通信用に最適化された複数の伝送特性を最初から有していてもよい。通信リンク上で少なくとも１つのトーンの発生が検出されたときに、通信リンクをファックス／モデム動作用に最適化するために、通信リンクの伝送特性の少なくとも１つが修正され得る。
【００１２】
通信リンクの伝送特性の少なくとも１つが通信リンクをファックス／モデム動作用に最適化するために修正された後に、通信リンク上で音声活動の発生が検出されてもよい。通信リンクを音声通信用に最適化するために、音声活動発生の検出に応じて通信リンクの伝送特性の少なくとも１つが修正され得る。
【００１３】
本発明によって動作する通信システムは、オフフック検出器およびタイマ回路、トーン
検出器、音声活動検出器（ＶＡＤ）、およびプロセッサを有する。プロセッサは、オフフック検出器およびタイマ回路、トーン検出器、およびＶＡＤと接続している。オフフック検出器およびタイマ回路は、発信端点からの通話を受信することに応じて着信端点がオフフックとなることを検出するために用いられる。オフフック検出器およびタイマ回路はまた、着信端点がオフフックとなった時からの時間の経過を測定するために用いられる。トーン検出器は通信リンク上で発生するトーンを検出するために用いられる。ＶＡＤは通信リンク上で音声活動の発生を検出するために用いられる。プロセッサは、通信リンク上で発生するトーンを処理するためにシステムによって用いられる、少なくとも１つの検出基準パラメータを修正するためのアルゴリズムを実行する。
【００１４】
ＶＡＤによって音声活動が検出される場合、アルゴリズムはプロセッサに検出基準パラメータを修正するように指示してもよい。トーン検出器がトーンを検出することなく時間が所定の値に到達する場合には、アルゴリズムはプロセッサに検出基準パラメータを修正するように指示してもよい。通信リンク上で発生するトーンが、時間が所定の値に到達する以前とは異なって処理されるように、アルゴリズムはプロセッサに検出基準パラメータを修正するように指示してもよい。
【００１５】
通信システムはプロセッサと通信する音声コーダを追加で有してもよい。検出基準パラメータは、音声コーダによって実施される少なくとも１つのアルゴリズムを調整するように修正され得る。通信システムはインターネット電話システムであり得る。
【発明を実施するための最良の形態】
【００１６】
本発明の好適な実施態様の以下の詳細な説明は、添付される図面と共に読まれる場合によりよく理解されるであろう。本発明を図示する目的で、好適である実施態様が図面に示される。しかしながら、本発明は示される厳密な配置および手段に限定されない。
【００１７】
図１には、音声転送および、モデムおよびファックス通信サポート用の通信システム１００（例えば、インターネット電話システム）が示される。通信システム１００には発信端点１０５が含まれている。発信端点１０５を通じて、通信リンク１１５、およびゲートウェイ１２０Ａ、１２０Ｂ経由で着信端点１１０の端末への通話が行われる。通信システム１００には、それぞれゲートウェイ１２０Ａ、１２０Ｂから受信される信号情報を処理する、１つ以上の通話エージェント１２５Ａ、１２５Ｂが任意で含まれてよい。本発明の要件は、信号監視および制御プロセッサ１３０の手段によって、通信システム１００に組込まれる。信号監視および制御プロセッサ１３０は、ゲートウェイ１２０Ａ、１２０Ｂおよび／または通話エージェント１２５Ａ、１２５Ｂのうちの１つに接続されて、または組込まれて配置される。
【００１８】
信号監視および制御プロセッサ１３０には、トーン検出器１３５、音声活動検出器（ＶＡＤ）１４０、オフフック検出器およびタイマ１４５、波形／音声コーダ（以下、ボコーダと称する）１５０、システムパラメータ１５５、およびアルゴリズム１６０が含まれる。システムパラメータ１５５およびアルゴリズム１６０は、独立したメモリ、即ち内部プロセッサ１６５内に記憶される、変数、命令、および／またはコードからなる。システムパラメータ１５５には、通信リンク１１５上で発生するトーンがどのように処理されるかを決定する、１以上の検出基準パラメータが含まれる。システムパラメータ１５５にはまた、音声またはトーン伝送用にリンク１１５を最適化するために用いられる、１以上の回線伝送特性パラメータが含まれる。それに従って、内部プロセッサ１６５はアルゴリズム１６０を実行し、システムパラメータ１５５を修正する。内部プロセッサは、トーン検出器１３５、ＶＡＤ１４０、オフフック検出器およびタイマ回路１４５、およびボコーダ１５０と通信している。
【００１９】
通信システム１００は不正検出を防止するために、応答電話回線のピックアップからの時間の推定を用いて、不正なモデムおよびファックス検出を減少する。信号監視および制御プロセッサ１３０によって提供される要件を呼び出す、および／または組込む、ゲートウェイ１２０Ａ、１２０Ｂ、または通話エージェント１２５Ａ、１２５Ｂのうちの１つによって、この推定は実行され得る。より正確に時間が測定または推定されるほど、より決定的にモデム／ファックスの検出は選別され得る。システムパラメータ１５５の回線伝送特性パラメータは、通信リンク１１５を通じて伝送される特定の信号の種類（即ち、ペイロード）用に音響特性を最適化するために用いられる。信号の種類には、モデムおよびファックス通信（声音帯域で動作する）、または人間の声音が含まれる。システムパラメータ１５５は、信号遅延、エコー消去、ジッタバッファサイズ、サンプルクロック調整ストラテジ、および波形／音声コーダ選択を制御する。システムパラメータ１５５の回線伝送特性パラメータはまた、通信リンク１１５の帯域幅を指定するために用いられる。ボコーダのレートパラメータが内部プロセッサ１６５によって調整される時、音声コーダ１５０によって実施される少なくとも１つのアルゴリズム（例えば、レートまたは圧縮アルゴリズム）は調整される。
【００２０】
通信リンク１１５上でファックスまたはモデム通信が発生していると決定される時、好適なのは、より長いジッタバッファを用いてパケット損失を最小化し、エコー消去を停止し、波形コーダ（例えば、Ｇ．７１１等）を用い、および、モデムのエコー消去装置上でパルス符号化変調（ＰＣＭ）のクロックドリフトの影響を最小化するサンプルクロック調整ストラテジを用いることである。ファックスまたはモデム通信用に最適化されたパラメータは音声通信の品質には不利益であり（または高いコストを課し）、逆もまた同様である。通信リンク１１５上で音声活動が発生していると決定される時には、遅延を最小化するために、低い信号遅延を用い、エコー消去を開始し、低レートのボコーダを用い、短いまたは適応性のジッタバッファを用いることが好適である。
【００２１】
図２には、信号監視および制御プロセッサ１３０に実行されるトーン処理方法によって実施される、本発明の好適な実施態様によるステップが示される。ステップ２０５では、ゲートウェイ１２０Ａ、１２０Ｂ経由で、発信端点１０５から着信端点１１０への通信リンク１１５を通じて通話が行われる。着信端点１１０がオフフックになる時（ステップ２１０）、システムパラメータ１５５のうち少なくとも１つの回線伝送特性パラメータは、音声通信用に通信リンク１１５を最適化するように調整される（ステップ２１５）。ステップ２２０では、オフフック検出器およびタイマ回路１４５中のタイマは、着信端点１１０がオフフックになることが検出された時からの時間の経過の測定を開始する。ステップ２２５では、通信リンク１１５は、少なくとも１つのファックス／モデムトーンの発生まで、トーン検出器１３５によって監視される（ステップ２２５）。通信リンク１１５上でトーンが発生することが検出される以前にタイマが所定の値に到達する（即ち、タイマが期限切れになる）場合（ステップ２３０）、その通話が終了するまで、音声に最適化された通信リンク１１５を通じて通話が継続する（ステップ２３５）。タイマが期限切れになる以前にトーンが検出される場合（ステップ２４０）、システムパラメータ１５５のうち少なくとも１つの回線伝送特性パラメータは、ファックス／モデム動作用に通信リンク１１５を最適化するように調整される（ステップ２４５）。ステップ２５０では、その通話が終了するまで、ファックス／モデム動作用に最適化された通信リンク１１５を通じて通話は継続する。
【００２２】
図３には、信号監視および制御プロセッサ１３０に実行されるトーン処理方法によって実施される、本発明の代わる実施態様によるステップが示される。ステップ３０５では、ゲートウェイ１２０Ａ、１２０Ｂ経由で、発信端点１０５から着信端点１１０への通信リンク１１５を通じて通話が行われる。着信端点１１０がオフフックになる時（ステップ３１０）、システムパラメータ１５５のうち少なくとも１つの回線伝送特性パラメータは、
音声通信用に通信リンク１１５を最適化するように調整される（ステップ３１５）。ステップ３２０では、通信リンク１１５上で伝送される少なくとも１つのトーン発生のトーン検出器１３５による検出が高感度であるように、システムパラメータ１５５のうち少なくとも１つの検出基準パラメータは、アルゴリズム１６０のうちの１つに関連して、調整され用いられる。ステップ３２５では、オフフック検出器およびタイマ回路１４５中のタイマは、着信端点１１０がオフフックになることが検出された時からの時間の経過の測定を開始する。ステップ３３０では、通信リンク１１５は、少なくとも１つのファックス／モデムトーンの発生まで、高感度のトーン検出器１３５によって監視される。タイマが期限切れになる場合（ステップ３３５）、通信リンク１１５上で少なくとも１つのトーンの発生を検出するためにトーン検出器１３５によって用いられるアルゴリズム１６０の感度を減少するように、システムパラメータ１５５の検出基準パラメータは調整される。ステップ３４５では、通信リンク１１５は、通信リンク１１５上での少なくとも１つのトーンの発生まで、より低い感度のトーン検出器１３５によって監視される。アルゴリズム１６０の感度が減少された後でトーンが検出される場合（ステップ３５０）、またはタイマが期限切れになっておらず、かつ通信リンク１１５上で少なくとも１つのトーンの発生が検出される場合（ステップ３５５）には、システムパラメータ１５５のうち少なくとも１つの回線伝送特性パラメータは、ファックス／モデム動作用に通信リンク１１５を最適化するように調整される（ステップ３６０）。ステップ３６５では、その通話が終了するまで、ファックス／モデム動作用に最適化された通信リンク１１５を通じて通話は継続する。
【００２３】
図４および５をまとめると、信号監視および制御プロセッサ１３０に実行されるトーン検出方法によって実施される、本発明の更に別の実施態様によるステップが示される。ステップ４０５では、ゲートウェイ１２０Ａ、１２０Ｂ経由で、発信端点１０５から着信端点１１０への通信リンク１１５を通じて通話が行われる。着信端点がオフフックになる時（ステップ４１０）、システムパラメータ１５５のうち少なくとも１つの回線伝送特性パラメータは、音声通信用に通信リンク１１５を最適化するように調整される（ステップ４１５）。ステップ４２０では、通信リンク１１５上で伝送される少なくとも１つのトーン発生のトーン検出器１３５による検出が高感度であるように、システムパラメータ１５５のうち少なくとも１つの検出基準パラメータは、アルゴリズム１６０のうちの１つに関連して、調整され用いられる。ステップ４２５では、オフフック検出器およびタイマ回路１４５中のタイマは、着信端点１１０がオフフックになることが検出された時からの時間の経過の測定を開始する。ステップ４３０では、通信リンク１１５は、音声活動および少なくとも１つのファックス／モデムトーンの発生まで、音声活動検出器（ＶＡＤ）１４０および高感度のトーン検出器１３５の両方によって監視される。
【００２４】
タイマが期限切れになる場合（ステップ４３５）、またはタイマが期限切れになる以前にＶＡＤ１４０によって通信リンク１１５上に音声活動が検出される場合（ステップ４４０）、通信リンク１１５上で少なくとも１つのトーンの発生を検出するためにトーン検出器１３５によって用いられるアルゴリズム１６０の感度を減少するように、システムパラメータ１５５の検出基準パラメータは調整される（ステップ４４５）。通話の残りの間には、より低い感度のトーン検出器１３５によって、少なくとも１つのトーンの発生まで通信リンク１１５の監視が実行される（ステップ４５０）。より低い感度のトーン検出器１３５によってトーンが検出されない場合には、通話が終了しているか否かによって決定はなされる（ステップ４５５）。
【００２５】
タイマが期限切れになっておらず（ステップ４３５）、かつＶＡＤ１４０によって通信リンク１１５上で音声活動は検出されない（ステップ４４０）が、高感度のトーン検出器１３５によって通信リンク１１５上で少なくとも１つのトーンの発生が検出される場合（ステップ４６０）には、システムパラメータ１５５のうちの少なくとも１つの回線伝送特性パラメータは、ファックス／モデム動作用に通信リンク１１５を最適化するように調整
される（ステップ４６５）。ステップ４６５はまた、より低い感度のトーン検出器１３５が通信リンク１１５上で少なくとも１つのトーンの発生を検出する（ステップ４５０）ことに応じて実施され得る。ステップ４７０では、ステップ４７５によって決定されるところに従って、その通話が終了するまで、ファックス／モデム動作用に最適化された通信リンク１１５を通じて通話は継続する。ステップ４７５にて、通話が終了しておらず、かつＶＡＤ１４０によって音声活動が検出されると決定される場合（ステップ４８０）には、システムパラメータ１５５のうち少なくとも１つの回線伝送特性パラメータは、音声通信用に通信リンク１１５を最適化するように調整される（ステップ４８５）。ステップ４９０では、その通話が終了する（ステップ４５５）か、または別のトーンが検出されるまで、音声に最適化された通信リンク１１５を通じて通話は継続する。従って、通話の間に発生するその時点での通信の種類によって通信リンク１１５の特性を最適化するために、システムパラメータ１５５は１回の通話の間に幾度も修正され得る。
【００２６】
本発明はハードウェアおよびソフトウェアの任意の組合せで実施されてよい。コンピュータ実施装置として実施される場合には、本発明は上述のステップおよび機能の全てを実行するための手段を用いて実施される。
【００２７】
本発明は、例えばコンピュータの使用可能媒体を持つ製造品（例えば、１以上のコンピュータプログラム製品）に有されることができる。媒体は例えば、本発明の機構を提供および促進するためのコンピュータ可読プログラムコード手段に具体化される。製造品はコンピュータシステムの一部または単独に販売されるものとして有されることができる。
【００２８】
その広範な発明の概念から逸脱することなく上述の実施態様に変更がなされ得ることは当業者らには認識されるであろう。したがって、本発明は開示される詳細な実施態様に限定されず、付随される請求項により規定される本発明の精神および範囲内の変更を補うと解釈されることが理解される。
【図面の簡単な説明】
【００２９】
【図１】本発明によって動作する通信システムのブロック図。
【図２】図１の通信システムによって実施されるステップを備える高水準機能の流れ図。
【図３】図１の通信システムによって実施されるステップを備える高水準機能の流れ図。
【図４】図１の通信システムによって実施されるステップを備える高水準機能の流れ図。
【図５】図１の通信システムによって実施されるステップを備える高水準機能の流れ図。
【図１】
2005525063.tif 000003
【図２】
2005525063.tif 000004
【図３】
2005525063.tif 000005
【図４】
2005525063.tif 000006
【図５】
2005525063.tif 000007
【国際調査報告】
2005525063.tif 000008
2005525063.tif 000009